(57)【要約】      （修正有）【課題】簡易な構成で、既存のシャックルに対して後付けで構成できる、遠隔シャックルを提供する。【解決手段】遠隔シャックル１は、略Ｕ字形状に屈曲されたシャックル本体１０と、シャックル本体１０における二個の先端部１１に形成された被挿通孔に挿通される本体ピン２０と、本体ピン２０の頭部に連係された第一のワイヤＷ１と、本体ピン２０と直交する方向に挿入されて本体ピン２０の変位を規制する抜け止めピンと、抜け止めピンの頭部に連係された第二のワイヤＷ２と、シャックル本体１０に固定される複数のプレートと、を備え、第一のワイヤＷ１と第二のワイヤＷ２とのうち少なくとも一方は、複数のプレートに設けられたシーブに巻回される。【選択図】図２
0003234580.tif 000002
【実用新案登録請求の範囲】
【請求項１】
一本の棒体が略Ｕ字形状に屈曲されたシャックル本体と、前記シャックル本体における二個の先端部に形成された被挿通孔に挿通される本体ピンと、前記本体ピンの頭部に連係された第一のワイヤと、前記本体ピンの先端部において前記本体ピンと直交する方向に挿入されて前記被挿通孔から抜ける方向への前記本体ピンの変位を規制する抜け止めピンと、前記抜け止めピンの頭部に連係された第二のワイヤと、前記シャックル本体に固定される複数のプレートと、を備え、
前記第一のワイヤと前記第二のワイヤとのうち少なくとも一方は、前記複数のプレートの間に介挿されたシーブに巻回される、遠隔シャックル。
【請求項２】
前記複数のプレートは、前記シャックル本体において隣接する棒体のそれぞれに組付けられた状態で連結される、請求項１に記載の遠隔シャックル。
【請求項３】
前記複数のプレートは、前記シャックル本体を挟む姿勢で互いに連結されることにより前記シャックル本体に固定される、請求項１に記載の遠隔シャックル。
【請求項４】
前記複数のプレートには、前記本体ピンの変位をガイドするガイド部材が設けられる、請求項１から請求項３の何れか一項に記載の遠隔シャックル。
【請求項５】
前記複数のプレートには、前記被挿通孔から抜ける方向に前記本体ピンを付勢する付勢部材が設けられる、請求項１から請求項４の何れか一項に記載の遠隔シャックル。
【請求項６】
前記複数のプレートには、前記本体ピンの前記被挿通孔からの離脱を規制する、変位規制部が形成される、請求項１から請求項５の何れか一項に記載の遠隔シャックル。
【請求項７】
前記第二のワイヤは、前記抜け止めピンの頭部に二本連係され、それぞれの前記第二のワイヤは、前記シーブを介して前記シャックル本体の両側を通って前記第一のワイヤの側に案内される、請求項１から請求項６の何れか一項に記載の遠隔シャックル。
【請求項８】
前記複数のプレートには、前記本体ピンが抜ける方向と反対の側に重量バランス部材が設けられる、請求項１から請求項７の何れか一項に記載の遠隔シャックル。
【考案の詳細な説明】
【技術分野】
【０００１】
本考案は、建築現場等において構造材を吊り上げる際に用いられる遠隔シャックルに関する。
【背景技術】
【０００２】
従来、建築現場等において、ケーシング等の構造材を所定の施工位置へ移送するために遠隔シャックルが用いられている。例えば、構造材に遠隔シャックルを介してワイヤロープを連係し、クレーンにてワイヤロープと遠隔シャックルとを介して構造材を吊り上げる場合がある（例えば、特許文献１を参照）。
【先行技術文献】
【特許文献】
【０００３】
【特許文献１】実公昭５９−１１９１６号公報
【考案の概要】
【考案が解決しようとする課題】
【０００４】
上記特許文献においては、遠隔シャックルを操作するためのワイヤを設け、作業者がワイヤを引っ張ることにより遠隔シャックルと構造材との連係を解除する技術が記載されている。しかし、このような構成は構造が複雑であるため、既存のシャックルに後付けで組付けることは困難であった。
【０００５】
本考案は、上述の課題に鑑みてなされたものであり、簡易な構成で、既存のシャックルに対して後付けで構成できる、遠隔シャックルを提供することを目的としている。
【課題を解決するための手段】
【０００６】
本考案は、前述の課題解決のために、以下の遠隔シャックルを構成した。
【０００７】
（１）一本の棒体が略Ｕ字形状に屈曲されたシャックル本体と、前記シャックル本体における二個の先端部に形成された被挿通孔に挿通される本体ピンと、前記本体ピンの頭部に連係された第一のワイヤと、前記本体ピンの先端部において前記本体ピンと直交する方向に挿入されて前記被挿通孔から抜ける方向への前記本体ピンの変位を規制する抜け止めピンと、前記抜け止めピンの頭部に連係された第二のワイヤと、前記シャックル本体に固定される複数のプレートと、を備え、前記第一のワイヤと前記第二のワイヤとのうち少なくとも一方は、前記複数のプレートの間に介挿されたシーブに巻回される、遠隔シャックル。
【０００８】
（２）前記複数のプレートは、前記シャックル本体において隣接する棒体のそれぞれに組付けられた状態で連結される、（１）に記載の遠隔シャックル。
【０００９】
（３）前記複数のプレートは、前記シャックル本体を挟む姿勢で互いに連結されることにより前記シャックル本体に固定される、（１）に記載の遠隔シャックル。
【００１０】
（４）前記複数のプレートには、前記本体ピンの変位をガイドするガイド部材が設けられる、（１）から（３）の何れか一に記載の遠隔シャックル。
【００１１】
（５）前記複数のプレートには、前記被挿通孔から抜ける方向に前記本体ピンを付勢する付勢部材が設けられる、（１）から（３）の何れか一に記載の遠隔シャックル。
【００１２】
（６）前記複数のプレートには、前記本体ピンの前記被挿通孔からの離脱を規制する、変位規制部が形成される、（１）から（５）の何れか一に記載の遠隔シャックル。
【００１３】
（７）前記第二のワイヤは、前記抜け止めピンの頭部に二本連係され、それぞれの前記第二のワイヤは、前記シーブを介して前記シャックル本体の両側を通って前記第一のワイヤの側に案内される、（１）から（６）の何れか一に記載の遠隔シャックル。
【００１４】
（８）前記複数のプレートには、前記本体ピンが抜ける方向と反対の側に重量バランス部材が設けられる、（１）から（７）の何れか一に記載の遠隔シャックル。
【考案の効果】
【００１５】
本考案に係る遠隔シャックルによれば、簡易な構成で、既存のシャックルに対して後付けで構成することが可能となる。
【図面の簡単な説明】
【００１６】
【図１】第一実施形態に係る遠隔シャックルの係合状態を示す正面図。
【図２】第一実施形態に係る遠隔シャックルを示す斜視図。
【図３】第一実施形態に係る遠隔シャックルを示す分解斜視図。
【図４】シャックル本体、本体ピン、及び、抜け止めピンを示す分解斜視図。
【図５】第一実施形態に係る遠隔シャックルを示す側面図。
【図６】本体ピンのガイド機構を示す斜視図。
【図７】抜け止めピンを本体ピンから抜き出す状態を示す正面図。
【図８】本体ピンをシャックル本体から引き出す状態を示す正面図。
【図９】遠隔シャックルの非係合状態を示す正面図。
【図１０】第二実施形態に係る遠隔シャックルの係合状態を示す正面図。
【図１１】第二実施形態に係る遠隔シャックルを示す斜視図。
【図１２】第二実施形態に係る遠隔シャックルを示す分解斜視図。
【図１３】第二実施形態に係る遠隔シャックルを示す側面図。
【図１４】抜け止めピンを本体ピンから抜き出す状態を示す正面図。
【図１５】本体ピンをシャックル本体から引き出す状態を示す正面図。
【図１６】遠隔シャックルの非係合状態を示す正面図。
【考案を実施するための形態】
【００１７】
［第一実施形態］
まず、本考案の一実施形態に係る遠隔シャックル１を、図１から図９を用いて説明する。本実施形態に係る遠隔シャックル１は、図１に示すように、ワイヤロープＣに吊られた状態でケーシングである管体Ｐの被支持孔Ｐｈに係合して用いられる。そして、クレーンによりワイヤロープＣを引き上げることにより、遠隔シャックル１を介して管体Ｐを吊下げて移送する。なお、遠隔シャックル１は管体Ｐ以外の構造材を移送する際に用いることも可能である。
【００１８】
図２から図４に示す如く、本実施形態に係る遠隔シャックル１は、シャックル本体１０、本体ピン２０、抜け止めピン２２、第一のワイヤＷ１、第二のワイヤＷ２・Ｗ２、複数のプレート（第一内プレート３１、第二内プレート３２、第一外プレート３６、及び、第二外プレート３７）、複数のシーブ（第一シーブ３３、半シーブ３４、第二シーブ３５）及び、重量バランス部材４０等により構成されている。以下、各部材について順に説明する。
【００１９】
シャックル本体１０は、一本の金属製の棒体が略Ｕ字形状に屈曲されて形成される。シャックル本体１０における二個の先端部１１・１１には、本体ピン２０を挿通可能な被挿通孔１１ａがそれぞれ形成されている。本実施形態においては、被挿通孔１１ａに対して本体ピン２０が挿入される側（図４における左下側）を遠隔シャックル１の左側として説明する。
【００２０】
本体ピン２０は金属製の棒状部材であり、シャックル本体１０に形成された被挿通孔１１ａ・１１ａに対して左側から挿通される。本体ピン２０の左側先端部には抜け止めピン２２を挿通可能な抜け止め孔２０ａが本体ピン２０を貫通して形成されている。本体ピン２０の頭部２１には第一のワイヤＷ１が連係されている。第一のワイヤＷ１は、遠隔シャックル１よりも下方で作業する作業者が操作できるように充分な長さで構成されている。
【００２１】
図４に示す如く、本体ピン２０の頭部２１の近傍には上方に突出するガイド板２０ｂが固定される。ガイド板２０ｂにはガイド孔２０ｃが貫通して開口される。ガイド孔２０ｃには後述するガイド棒３１ｃが挿通される。また、図９に示す如く、本体ピン２０の先端部には軸方向に開口された被挿入孔２０ｄが形成されている。被挿入孔２０ｄには後述する挿入棒４２が挿入される。
【００２２】
抜け止めピン２２は、本体ピン２０の抜け止め孔２０ａに本体ピン２０と直交する上下方向に上方から挿入される。抜け止めピン２２は被挿通孔１１ａの内径よりも長く形成されている。このため、抜け止めピン２２が抜け止め孔２０ａに挿入された状態では、図７に示す如く被挿通孔１１ａから抜ける方向への本体ピン２０の変位が規制される。
【００２３】
抜け止めピン２２の頭部にはＴ字部材２２ａが組付けられる。Ｔ字部材２２ａには二本の第二のワイヤＷ２・Ｗ２が連係されている。第二のワイヤＷ２は、遠隔シャックル１よりも下方で作業する作業者が操作できるように充分な長さで構成されている。なお、二本の第二のワイヤＷ２・Ｗ２を、遠隔シャックル１よりも下方で一本に纏める構成とすることも可能である。また、作業者が第一のワイヤＷ１と第二のワイヤＷ２とを混同することがないように、第一のワイヤＷ１と第二のワイヤＷ２とにそれぞれ異なる色を着色する等によって区別することが好ましい。
【００２４】
また、抜け止めピン２２には下部が開口した円環状の係止部材２３が設けられる。係止部材２３は、抜け止めピン２２が抜け止め孔２０ａに挿入された際に本体ピン２０に係止される（図５及び図７を参照）。
【００２５】
図２及び図３に示す如く、シャックル本体１０には複数の金属製プレートが固定される。本実施形態における遠隔シャックル１には、平面視でＵ字形状に屈曲された第一内プレート３１及び第二内プレート３２と、二枚の第一外プレート３６・３６と、二枚の第二外プレート３７・３７と、の計六枚のプレートが固定される。本実施形態においては、第一内プレート３１及び第一外プレート３６・３６が、シャックル本体１０において隣接する棒体の一方に組付けられる。第一内プレート３１は、図示しないボルトによりシャックル本体１０の棒体の一方に押さえつけられており、シャックル本体１０に対して回転しないように組付けられる。第一内プレート３１と第一外プレート３６・３６とはボルト及びナット等の連結部材で互いに連結される。
【００２６】
同様に、第二内プレート３２及び第二外プレート３７・３７が、シャックル本体１０において隣接する棒体の他方に組付けられる。第二内プレート３２は、図示しないボルトによりシャックル本体１０の棒体の他方に押さえつけられており、シャックル本体１０に対して回転しないように組付けられる。第二内プレート３２と第二外プレート３７・３７とについても、ボルト及びナット等の連結部材で互いに連結される。第一内プレート３１と第二内プレート３２とは、間に規制部３８が溶接されて連結されることにより、シャックル本体１０に固定される。
【００２７】
第一内プレート３１における左下部には第一シーブ３３が介挿される。第一シーブ３３は内面をテーパ面３３ａとして形成することにより、第一のワイヤＷ１を引く方向が斜めになった場合でも円滑に本体ピン２０を変位させることを可能としている。
【００２８】
第一内プレート３１の左下部には、本体ピン２０の被挿通孔１１ａからの離脱を規制する、変位規制部３１ａが形成される。具体的には図９に示す如く、本体ピン２０が左側に変位した際に、本体ピン２０の左側端部が変位規制部３１ａに当接する。これにより、本体ピン２０の更なる左方向への変位が規制されるため、本体ピン２０の被挿通孔１１ａからの離脱が規制される。
【００２９】
図２に示す如く、第二内プレート３２と第二外プレート３７・３７との間には半円形状の半シーブ３４が固定される。また、第一内プレート３１の左端部と第一外プレート３６・３６の間には第二シーブ３５が回転可能に介挿される。
【００３０】
図７に示す如く、第一内プレート３１の内側には支持部３１ｂ・３１ｂが固定され、この支持部３１ｂ・３１ｂにはガイド棒３１ｃが固定される。ガイド棒３１ｃがガイド板２０ｂに開口されたガイド孔２０ｃに挿通されることにより、本体ピン２０の左右方向の変位がガイド棒３１ｃでガイドされる。
【００３１】
図２及び図７に示す如く、第一のワイヤＷ１は第一シーブ３３のテーパ面３３ａを通って下方に垂下される。また、第二のワイヤＷ２は半シーブ３４及び第二シーブ３５に巻回されて下方に垂下される。具体的に第二のワイヤＷ２は、半シーブ３４を介してシャックル本体１０の前後両側を通って第一のワイヤＷ１の側である左側に案内され、第二シーブ３５に巻回されて下方に垂下される。
【００３２】
第二内プレート３２には、本体ピン２０が抜ける方向と反対の右端部に重量バランス部材４０が設けられる。遠隔シャックル１は重量バランス部材４０により、第一内プレート３１及び第二内プレート３２における左右方向の重量バランスが釣り合うように構成されている。
【００３３】
図７に示す如く、重量バランス部材４０の下端部には、付勢部材である圧縮ばね４１と、挿入棒４２と、が設けられる。挿入棒４２は本体ピン２０の被挿入孔２０ｄに挿入される。圧縮ばね４１は被挿通孔１１ａから抜ける方向に本体ピン２０を付勢する。
【００３４】
本実施形態に係る遠隔シャックル１を使用する際は図１及び図７に示す如く、管体Ｐの被支持孔Ｐｈに本体ピン２０を挿通した状態で本体ピン２０を被挿通孔１１ａに挿入する。そして、抜け止めピン２２を抜け止め孔２０ａに挿入する。これにより、本体ピン２０が被挿通孔１１ａから抜ける方向に変位することが規制され、ワイヤロープＣにより管体Ｐを吊下げることが可能になる。
【００３５】
遠隔シャックル１は、作業者が遠隔作業することにより管体Ｐから取り外すことができる。具体的には図７中の一点鎖線矢印に示す如く、作業者が第二のワイヤＷ２を下方に引っ張ることにより、抜け止めピン２２が抜け止め孔２０ａより引き抜かれる。この際、図８に示す如く規制部３８が管体Ｐの上端部に載置されることにより、管体Ｐにおける遠隔シャックル１の姿勢が安定する。
【００３６】
次に、図８中の一点鎖線矢印に示す如く、作業者が第一のワイヤＷ１を下方に引っ張ることにより、本体ピン２０が被挿通孔１１ａから抜き出る方向である左側方に変位して、被支持孔Ｐｈから引き抜かれる。これにより、遠隔シャックル１と管体Ｐとの係合状態が解除されるため、図９中の矢印に示す如く遠隔シャックル１を管体Ｐから取り外すことが可能となる。
【００３７】
上記の如く、本実施形態に係る遠隔シャックル１は、複数のプレート（第一内プレート３１、第二内プレート３２、第一外プレート３６・３６、及び、第二外プレート３７・３７）を、シャックル本体１０を挟む姿勢で互いに連結することによりシャックル本体１０に固定している。そして、第一のワイヤＷ１と第二のワイヤＷ２とを、複数のプレートの間に介挿されたシーブ（第一シーブ３３、半シーブ３４、第二シーブ３５）に巻回している。このように、本実施形態に係る遠隔シャックル１は、複数のプレートでシャックル本体１０を挟んだ簡易な構成であるため、既存のシャックルに対して複数のプレートを後付けすることにより構成することを可能としている。
【００３８】
また、本実施形態に係る遠隔シャックル１において、第一内プレート３１には、本体ピン２０の変位をガイドするガイド部材としてガイド棒３１ｃが設けられている。これにより、本体ピン２０の左右方向の変位を円滑に行うことが可能となる。
【００３９】
また、本実施形態に係る遠隔シャックル１において、第二内プレート３２に設けられる重量バランス部材４０には、被挿通孔１１ａから抜ける方向に本体ピン２０を付勢する付勢部材として圧縮ばね４１が設けられる。これにより、本体ピン２０を被挿通孔１１ａから抜き出しやすく構成している。
【００４０】
また、本実施形態に係る遠隔シャックル１において、第一内プレート３１には、本体ピン２０の被挿通孔１１ａからの離脱を規制する、変位規制部３１ａが形成される。これにより、本体ピン２０がシャックル本体１０から離脱することがないため、本体ピン２０が落下することを防止することができる。なお、本実施形態においては、抜け止めピン２２についても、半シーブ３４及び第二シーブ３５に巻回されることにより、下方に落下しない構成とされている。
【００４１】
また、本実施形態に係る遠隔シャックル１において、第二のワイヤＷ２は、抜け止めピン２２の頭部に二本連係され、半シーブ３４を介してシャックル本体１０の前後両側を通って第一のワイヤＷ１の側である左側に案内される。これにより、第一のワイヤＷ１と第二のワイヤＷ２とを遠隔シャックル１の同じ側（本実施形態においては左側）で下方に垂下することができる。このため、図１に示す如く遠隔シャックル１の一方の側（管体Ｐの外側）でのみ作業が可能な場合でも、遠隔シャックル１を遠隔操作することが可能となる。なお、遠隔シャックル１において、第一のワイヤＷ１と第二のワイヤＷ２とが互いに反対側の端部から垂下される構成とすることも可能である。
【００４２】
また、本実施形態に係る遠隔シャックル１において、第二内プレート３２には、本体ピン２０が抜ける方向と反対の右端部に重量バランス部材４０が設けられる。これにより、遠隔シャックル１の左右方向の重量バランスが釣り合うように構成することが可能となる。
【００４３】
［第二実施形態］
次に、本考案の第二実施形態に係る遠隔シャックル１０１を、図１０から図１６を用いて説明する。本実施形態に係る遠隔シャックル１０１は、前記実施形態に係る遠隔シャックル１と同様に、ワイヤロープＣに吊られた状態でケーシングである管体Ｐの被支持孔Ｐｈに係合して用いられる。
【００４４】
図１１から図１３に示す如く、本実施形態に係る遠隔シャックル１０１は、シャックル本体１１０、本体ピン１２０、抜け止めピン１２２、第一のワイヤＷ１、第二のワイヤＷ２・Ｗ２、複数のプレート（内プレート１３１・１３１及び外プレート１３２・１３２）、複数のシーブ（第一シーブ１３３、半シーブ１３４、第二シーブ１３５）及び、重量バランス部材１４０等により構成されている。以下、各部材について順に説明する。
【００４５】
シャックル本体１１０は、一本の金属製の棒体が略Ｕ字形状に屈曲されて形成される。シャックル本体１１０における二個の先端部１１１・１１１には、本体ピン１２０を挿通可能な被挿通孔１１１ａがそれぞれ形成されている。本実施形態においては、被挿通孔１１１ａに対して本体ピン１２０が挿入される側（図１１における左下側）を遠隔シャックル１０１の左側として説明する。
【００４６】
本体ピン１２０は金属製の棒状部材であり、シャックル本体１１０に形成された被挿通孔１１１ａ・１１１ａに対して左側から挿通される。本体ピン１２０の左側先端部には抜け止めピン１２２を挿通可能な抜け止め孔１２０ａが本体ピン１２０を貫通して形成されている。本体ピン１２０の頭部１２１には第一のワイヤＷ１が連係されている。第一のワイヤＷ１は、遠隔シャックル１０１よりも下方で作業する作業者が操作できるように充分な長さで構成されている。
【００４７】
抜け止めピン１２２は、本体ピン１２０の抜け止め孔１２０ａに本体ピン１２０と直交する上下方向に上方から挿入される。抜け止めピン１２２は被挿通孔１１１ａの内径よりも長く形成されている。このため、抜け止めピン１２２が抜け止め孔１２０ａに挿入された状態では、図１４に示す如く被挿通孔１１１ａから抜ける方向への本体ピン１２０の変位が規制される。
【００４８】
抜け止めピン１２２の頭部にはＴ字部材１２２ａが組付けられる。Ｔ字部材１２２ａには二本の第二のワイヤＷ２・Ｗ２が連係されている。第二のワイヤＷ２は、遠隔シャックル１０１よりも下方で作業する作業者が操作できるように充分な長さで構成されている。なお、二本の第二のワイヤＷ２・Ｗ２を、遠隔シャックル１０１よりも下方で一本に纏める構成とすることも可能である。また、作業者が第一のワイヤＷ１と第二のワイヤＷ２とを混同することがないように、第一のワイヤＷ１と第二のワイヤＷ２とにそれぞれ異なる色を着色する等によって区別することが好ましい。
【００４９】
また、抜け止めピン１２２には下部が開口した円環状の係止部材１２３が設けられる。係止部材１２３は、抜け止めピン１２２が抜け止め孔１２０ａに挿入された際に本体ピン１２０に係止される（図１３及び図１４を参照）。
【００５０】
図１１及び図１２に示す如く、シャックル本体１１０には複数の金属製プレートが固定される。本実施形態における遠隔シャックル１０１には、二枚の内プレート１３１・１３１、及び、二枚の外プレート１３２・１３２の計四枚のプレートが固定される。本実施形態においては、内プレート１３１・１３１がシャックル本体１１０の側である前後方向内側に、外プレート１３２・１３２が前後方向外側に配置される。内プレート１３１及び外プレート１３２は、シャックル本体１１０を前後に挟む姿勢でボルト及びナット等の連結部材で互いに連結されることにより、シャックル本体１１０に固定される。
【００５１】
内プレート１３１・１３１は左側端部が上下に幅広くなるように略Ｌ字形状に形成されている。内プレート１３１はシャックル本体１１０に当接する部分が曲面形状に湾曲して形成される。内プレート１３１・１３１における左下部の間には第一シーブ１３３が回転可能に介挿される。
【００５２】
内プレート１３１・１３１の左下部には、本体ピン１２０の被挿通孔１１１ａからの離脱を規制する、変位規制部１３１ａが形成される。具体的には図１６に示す如く、本体ピン１２０が左側に変位した際に、本体ピン１２０の左側端部が変位規制部１３１ａに当接する。これにより、本体ピン１２０の更なる左方向への変位が規制されるため、本体ピン１２０の被挿通孔１１１ａからの離脱が規制される。
【００５３】
外プレート１３２・１３２はそれぞれ内プレート１３１・１３１の前後方向外側に設けられる。内プレート１３１と外プレート１３２の右端部の間には半円形状の半シーブ１３４が固定される。また、内プレート１３１と外プレート１３２の左端部の間には第二シーブ１３５が回転可能に介挿される。
【００５４】
図１１及び図１４に示す如く、第一のワイヤＷ１は第一シーブ１３３に巻回されて下方に垂下される。また、第二のワイヤＷ２は半シーブ１３４及び第二シーブ１３５に巻回されて下方に垂下される。具体的に第二のワイヤＷ２は、半シーブ１３４を介してシャックル本体１０の前後両側を通って第一のワイヤＷ１の側である左側に案内され、第二シーブ１３５に巻回されて下方に垂下される。
【００５５】
内プレート１３１・１３１には、本体ピン１２０が抜ける方向と反対の右端部に重量バランス部材１４０が設けられる。遠隔シャックル１０１は重量バランス部材１４０により、内プレート１３１及び外プレート１３２における左右方向の重量バランスが釣り合うように構成されている。
【００５６】
本実施形態に係る遠隔シャックル１０１を使用する際は図１１及び図１４に示す如く、管体Ｐの被支持孔Ｐｈに本体ピン１２０を挿通した状態で本体ピン１２０を被挿通孔１１１ａに挿入する。そして、抜け止めピン１２２を抜け止め孔１２０ａに挿入する。これにより、本体ピン１２０が被挿通孔１１１ａから抜ける方向に変位することが規制され、ワイヤロープＣにより管体Ｐを吊下げることが可能になる。
【００５７】
遠隔シャックル１０１は、作業者が遠隔作業することにより管体Ｐから取り外すことができる。具体的には図１４中の一点鎖線矢印に示す如く、作業者が第二のワイヤＷ２を下方に引っ張ることにより、抜け止めピン１２２が抜け止め孔１２０ａより引き抜かれる。次に、図１５中の一点鎖線矢印に示す如く、作業者が第一のワイヤＷ１を下方に引っ張ることにより、本体ピン１２０が被挿通孔１１１ａから抜き出る方向である左側方に変位して、被支持孔Ｐｈから引き抜かれる。これにより、遠隔シャックル１０１と管体Ｐとの係合状態が解除されるため、図１６中の矢印に示す如く遠隔シャックル１０１を管体Ｐから取り外すことが可能となる。
【００５８】
上記の如く、本実施形態に係る遠隔シャックル１０１は、複数のプレート（内プレート１３１・１３１及び外プレート１３２・１３２）を、シャックル本体１１０を挟む姿勢で互いに連結することによりシャックル本体１１０に固定している。そして、第一のワイヤＷ１と第二のワイヤＷ２とを、内プレート１３１・１３１及び外プレート１３２・１３２の間に介挿されたシーブ（第一シーブ１３３、半シーブ１３４、第二シーブ１３５）に巻回している。このように、本実施形態に係る遠隔シャックル１０１は、複数のプレートでシャックル本体１１０を挟んだ簡易な構成であるため、既存のシャックルに対して複数のプレートを後付けすることにより構成することを可能としている。
【００５９】
また、本実施形態に係る遠隔シャックル１０１において、内プレート１３１・１３１には、本体ピン１２０の被挿通孔１１１ａからの離脱を規制する、変位規制部１３１ａが形成される。これにより、本体ピン１２０がシャックル本体１１０から離脱することがないため、本体ピン１２０が落下することを防止することができる。なお、本実施形態においては、抜け止めピン１２２についても、半シーブ１３４及び第二シーブ１３５に巻回されることにより、下方に落下しない構成とされている。
【００６０】
また、本実施形態に係る遠隔シャックル１０１において、第二のワイヤＷ２は、抜け止めピン１２２の頭部に二本連係され、半シーブ１３４を介してシャックル本体１１０の前後両側を通って第一のワイヤＷ１の側である左側に案内される。これにより、第一のワイヤＷ１と第二のワイヤＷ２とを遠隔シャックル１０１の同じ側（本実施形態においては左側）で下方に垂下することができる。このため、図１０に示す如く遠隔シャックル１０１の一方の側（管体Ｐの外側）でのみ作業が可能な場合でも、遠隔シャックル１０１を遠隔操作することが可能となる。なお、遠隔シャックル１０１において、第一のワイヤＷ１と第二のワイヤＷ２とが互いに反対側の端部から垂下される構成とすることも可能である。
【００６１】
また、本実施形態に係る遠隔シャックル１０１において、内プレート１３１・１３１には、本体ピン１２０が抜ける方向と反対の右端部に重量バランス部材１４０が設けられる。これにより、遠隔シャックル１０１の左右方向の重量バランスが釣り合うように構成することが可能となる。
【符号の説明】
【００６２】
１    遠隔シャックル（第一実施形態）
１０    シャックル本体             １１    先端部                 
１１ａ  被挿通孔                   ２０    本体ピン               
２０ａ  抜け止め孔                 ２０ｂ  ガイド板               
２０ｃ  ガイド孔                   ２０ｄ  被挿入孔               
２１    頭部                       ２２    抜け止めピン           
２２ａ  Ｔ字部材                   ２３    係止部材               
３１    第一内プレート             ３１ａ  変位規制部             
３１ｂ  支持部                     ３１ｃ  ガイド棒               
３２    第二内プレート             ３３    第一シーブ             
３３ａ  テーパ面                   ３４    半シーブ               
３５    第二シーブ                 ３６    第一外プレート         
３７    第二外プレート             ３８    規制部                 
４０    重量バランス部材           ４１    圧縮ばね               
４２    挿入棒                 
１０１    遠隔シャックル（第二実施形態）
１１０    シャックル本体           １１１    先端部                 
１１１ａ  被挿通孔                 １２０    本体ピン               
１２０ａ  抜け止め孔               １２１    頭部                   
１２２    抜け止めピン             １２２ａ  Ｔ字部材               
１２３    係止部材                 １３１    内プレート             
１３１ａ  変位規制部               １３２    外プレート             
１３３    第一シーブ               １３４    半シーブ               
１３５    第二シーブ               １４０    重量バランス部材       
Ｐ    管体                         Ｐｈ  被支持孔               
Ｃ    ワイヤロープ                 Ｗ１  第一のワイヤ           
Ｗ２  第二のワイヤ           
【図１】
0003234580.tif 000003
【図２】
0003234580.tif 000004
【図３】
0003234580.tif 000005
【図４】
0003234580.tif 000006
【図５】
0003234580.tif 000007
【図６】
0003234580.tif 000008
【図７】
0003234580.tif 000009
【図８】
0003234580.tif 000010
【図９】
0003234580.tif 000011
【図１０】
0003234580.tif 000012
【図１１】
0003234580.tif 000013
【図１２】
0003234580.tif 000014
【図１３】
0003234580.tif 000015
【図１４】
0003234580.tif 000016
【図１５】
0003234580.tif 000017
【図１６】
0003234580.tif 000018